(57)【要約】【課題】  連続する動画表示のチラつきを防止できる車両用表示装置を提供する。【解決手段】  動画処理部２２によって、所定パターンで刻々と変化させるための第１の動画用表示データＡと、この第１の動画用表示データＡとは異なるパターンで変化させるための第２の動画用表示データＣと、を連続して生成する場合、描画手段２は、記憶手段１に予め用意された前記第１の動画用表示データＡの終点画像と同じ静止画データ、または前記第２の動画用表示データの始点画像と同じ静止画データを、前記第１の動画用表示データの終点時と第２の動画データの始点時との間で重ね合わせた前記合成表示データＤを表示手段４に表示させる。【選択図】  図１
2014134690.tif 000002
【特許請求の範囲】
【請求項１】
静止画や動画を含む画像表示用の部品データを格納する記憶手段と、
前記記憶手段に格納された部品データに基づいて静止画用表示データを生成する静止画処理部と、前記記憶手段に格納された部品データに基づいて動画用表示データを生成する動画処理部と、前記静止画用表示データと前記動画用表示データとを重ね合わせるように合成する合成処理部とを設け、この合成処理部によって合成された合成表示データを表示手段に表示させる描画手段と、
を備えた車両用表示装置であって、
前記動画処理部によって、所定パターンで刻々と変化させるための第１の動画用表示データと、この第１の動画用表示データとは異なるパターンで変化させるための第２の動画用表示データと、を連続して生成する場合、
前記描画手段は、前記記憶手段に予め用意された前記第１の動画用表示データの終点画像と同じ静止画データ、または前記第２の動画用表示データの始点画像と同じ静止画データを、前記第１の動画用表示データの終点時と第２の動画データの始点時との間で重ね合わせた前記合成表示データを前記表示手段に表示させることを特徴とする車両用表示装置。
【請求項２】
車両情報を入力し、この車両情報の変化に基づいて前記表示手段に表示される画像を遷移させるように前記描画手段を制御する制御手段を備え、
前記制御手段は、第１の動画用表示データの終点よりも前から、前記動画用表示データと前記静止画用表示データを重ねて前記合成表示データを生成するように前記描画手段を制御することを特徴とする請求項１に記載の車両用表示装置。
【発明の詳細な説明】
【技術分野】
【０００１】
本発明は、車両用表示装置に関し、静止画データと動画データとを重ね合わせてできた表示データを画像表示させる車両用表示装置に適用できる。
【背景技術】
【０００２】
従来の車両用表示装置は、例えば、特許文献１に開示されるものがある。この車両用表示装置は、ＣＰＵ、静止画表示コントローラ、動画表示コントローラと液晶表示装置から構成されており、前記静止画表示コントローラより生成される静止画データと、前記動画表示コントローラより生成される動画データを重ね合わせてできた表示データを前記液晶表示装置を用いて表示するものである。
【先行技術文献】
【特許文献】
【０００３】
【特許文献１】特開平８−７６７２１号公報
【発明の概要】
【発明が解決しようとする課題】
【０００４】
しかしながら、特許文献１記載の車両用表示装置は、前記静止画表示コントローラを停止させ、前記動画表示コントローラのみを動作させて動画データを連続して表示する場合、１つ目の動画データによる表示を停止してから２つ目の動画データによる表示を開始するまでの間に空白の時間が生じてしまい、重ね合わせてできる表示データが生成されないため表示がチラつくという問題点があった。
【０００５】
そこで本発明は、前記問題点を解消し、連続する動画表示のチラつき防止を目的とするものである。
【課題を解決するための手段】
【０００６】
本発明の車両用表示装置は、静止画や動画を含む画像表示用の部品データを格納する記憶手段と、前記記憶手段に格納された部品データに基づいて静止画用表示データを生成する静止画処理部と、前記記憶手段に格納された部品データに基づいて動画用表示データを生成する動画処理部と、前記静止画用表示データと前記動画用表示データとを重ね合わせるように合成する合成処理部とを設け、この合成処理部によって合成された合成表示データを表示手段に表示させる描画手段と、を備えた車両用表示装置であって、前記動画処理部によって、所定パターンで刻々と変化させるための第１の動画用表示データと、この第１の動画用表示データとは異なるパターンで変化させるための第２の動画用表示データと、を連続して生成する場合、前記描画手段は、前記記憶手段に予め用意された前記第１の動画用表示データの終点画像と同じ静止画データ、または前記第２の動画用表示データの始点画像と同じ静止画データを、前記第１の動画用表示データの終点時と第２の動画データの始点時との間で重ね合わせた前記合成表示データを前記表示手段に表示させることを特徴とする。
【０００７】
また、車両情報を入力し、この車両情報の変化に基づいて前記表示手段に表示される画像を遷移させるように前記描画手段を制御する制御手段を備え、前記制御手段は、第１の動画用表示データの終点よりも前から、前記動画用表示データと前記静止画用表示データを重ねて前記合成表示データを生成するように前記描画手段を制御することを特徴とする。
【発明の効果】
【０００８】
本発明は、車両情報を表示する車両用表示装置に関し、連続する動画表示のチラつきを防止できる。
【図面の簡単な説明】
【０００９】
【図１】本発明の実施の形態の構成を示すブロック図。
【図２】同上実施の形態における表示遷移の例を示す図。
【発明を実施するための形態】
【００１０】
以下、本発明が適用された実施の形態について添付図面を用いて説明する。
【００１１】
本発明の車両用表示装置を車両に搭載される車両用計器に適用したものを例に挙げて説明する。車両用計器は、図１に示すように、記憶手段１と、静止画処理部２１や動画処理部２２を設ける描画手段２と、制御手段３と、表示手段４と、を備えている。
【００１２】
記憶手段１は、不揮発性の記憶媒体を適用でき、静止画や動画などの部品データを格納し、制御手段３からの制御信号に基づいて、描画手段２へ部品データを読み出しさせることができる。
【００１３】
描画手段２は、描画演算処理を行う回路であり、記憶手段１に格納された部品データに基づいて静止画用表示データを生成する静止画処理部２１、記憶手段１に格納された部品データに基づいて動画用表示データを生成する動画処理部２２、前記静止画用表示データと前記動画用表示データとを重ね合わせるように合成する合成処理部２３とを設けている。また、この合成処理部によって合成された合成表示データに基づいて表示手段４に駆動することができる。
【００１４】
静止画処理部２１は、制御手段３からの制御信号に基づいて、記憶手段１に格納された静止画データ（部品データ）を読み出し、表示手段４に表示される画像において表示位置、表示タイミングなど調整し、静止画用表示データとして表示手段４に対応する表示データを生成することができる。
【００１５】
また、静止画処理部２１は、複数の静止画データを重ね合わせるなど組み合わせて静止画用表示データを生成することもでき、例えば、背景画像にキャラクター画像を重ねた静止画用表示データを生成することもできる。なお、後述する動画用表示データの合成が必要ない場合には、この静止画用表示データに基づいて表示手段４を駆動することもできる。
【００１６】
動画処理部２２は、制御手段３からの制御信号に基づいて、記憶手段１に格納された動画データ（部品データ）を読み出し、表示手段４に表示される画像において表示位置、表示タイミング、拡大縮小や移動などを調整し、動画用表示データとして表示手段４に対応する表示データを生成することができる。この場合、記憶手段１には、対応する静止画の部品データや表示遷移方法について定義された動画データが格納されており、動画処理部２２は、これら動画データの定義などに基づいて、画像更新周期毎のフレーム画像を動画用表示データとして生成するものである。なお、この場合、１秒間に６０枚分のフレーム画像を生成して動画用表示データとしている。
【００１７】
合成処理部２３は、静止画処理部２１によって生成された静止画用表示データと、動画処理部２２によって生成された動画用表示データと、を所定の順序で、重なる所定領域の表示データを上書きして、あたかも重ね合わせるように合成し、合成表示データとして生成する。従って、表示変化のない部分を静止画用表示データとして保持し、次なるフレーム画像を生成する際に改めて描画する処理を省けるため、簡易な構成にて動画表示可能な描画手段２を構成できる。
【００１８】
制御手段３は、例えば、マイクロコンピュータを適用でき、車両に搭載された各種センサからの情報を入力し、各種演算処理を行うことによって、描画手段２を制御するための制御信号を生成し出力する。この場合、制御手段３は、車両の起動スイッチからの操作信号を入力でき、例えば、車両の起動時、または稼働停止時に表示演出するように、描画手段２を制御できる。
【００１９】
表示手段４は、例えば、液晶または有機ＥＬを用いた表示パネルを適用でき、制御手段３からの制御信号に基づいて表示出力できる。この場合、表示手段４は、画像情報によって車両走行距離や警報状態など車両情報を表示出力できる。
【００２０】
なお、制御手段３は、前述のように車両起動時に表示手段４の画像表示によって、動画をともなう表示演出を行うことができ、図２に示すように、連続して複数の動画パターンの表示を行う例を説明する。
【００２１】
制御手段３は、動画処理部２２によって、記憶手段１に格納された動画のデータに基づいて、所定パターンで刻々と変化させるための第１の動画用表示データＡを生成し、表示手段４に表示させる。この場合、第１の動画用表示データＡは、丸い画像が徐々に大きくなる動画となるように、フレーム毎のデータを生成してなる。
【００２２】
記憶手段２には、この第１の動画用表示データＡの終点時（動画最終のフレーム画像）と同じ画像の静止画データ（部品データ）が用意されており、合成処理部２３によって、この静止画データに基づく静止画用表示データＢと、該終点時の第１の動画用表示データとを重ね合わせて表示し、次なる画像更新周期のフレーム画像においてもこの静止画用表示データを表示し続ける。なお、この静止画用表示データの表示タイミングは、制御手段１によって管理され、表示演出の起点からの時間をカウントして、第１の動画用表示データＡの終点時に開始されるようにしている。
【００２３】
次に、この第１の動画用表示データＡとは異なるパターンで変化させるための第２の動画用表示データＣを生成し、この第２の動画用表示データＣに基づく画像を表示手段４に表示させる。
【００２４】
従って、第１の動画用表示データＡと第２の動画用表示データＣとを連続して表示させるように制御した場合、各動画用表示データＡ，Ｃ間で表示演算が滞るなどして、動画用表示データが合成処理部２３へ供給できない場合が生じたとしても、これに類似する静止画データＢを下層に留めておくことによって、あたかも連続して表示が遷移しているような画像を表示手段４に出力させることができる。
【００２５】
また、この際、制御手段は、第１の動画用表示データＡの終点よりも前に、第１の動画用表示データＡと予め用意された静止画用表示データＢを重ねて合成表示データＤを生成するように描画手段２を制御することによって、描画手段２の負荷状態などによって予期せずに動画用表示データＡが生成されない場合であっても、これを補間する静止画の表示を促すことができる。
【００２６】
斯かる車両用表示装置は、静止画や動画を含む画像表示用の部品データを格納する記憶手段１と、記憶手段１に格納された部品データに基づいて静止画用表示データを生成する静止画処理部２１と、記憶手段１に格納された部品データに基づいて動画用表示データを生成する動画処理部２２と、前記静止画用表示データと前記動画用表示データとを重ね合わせるように合成する合成処理部２３とを設け、この合成処理部２３によって合成された合成表示データＤを表示手段４に表示させる描画手段２と、を備えた車両用表示装置であって、動画処理部２２によって、所定パターンで刻々と変化させるための第１の動画用表示データＡと、この第１の動画用表示データＡとは異なるパターンで変化させるための第２の動画用表示データＣと、を連続して生成する場合、描画手段２は、記憶手段１に予め用意された前記第１の動画用表示データＡの終点画像と同じ静止画データ、または前記第２の動画用表示データの始点画像と同じ静止画データを、前記第１の動画用表示データの終点時と第２の動画データの始点時との間で重ね合わせた前記合成表示データＤを表示手段４に表示させる。
【００２７】
従って、１つ目の動画の表示を停止してから２つ目の動画の表示を開始するまでの間に空白の時間が生じたとしても、予め用意された静止画を表示することができ、表示がチラつくという問題点を解消でき、連続する動画表示を提供できる。また、突然に何も表示されない状態を抑止できるため、車両利用者に違和感を与えることのない表示ができる。
【００２８】
なお、本発明の車両用表示装置を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。
【産業上の利用可能性】
【００２９】
本発明は、例えば、自動車、オートバイ、あるいは農業機械や建設機械を備えた移動体に搭載される車両用表示装置として適用できる。
【符号の説明】
【００３０】
１  記憶手段
２  描画手段
２１  静止画処理部
２２  動画処理部
２３  合成処理部
３  制御手段
４  表示手段
Ａ  第１の動画用表示データ
Ｂ  静止画用表示データ
Ｃ  第２の動画用表示データ
Ｄ  合成表示データ
【図１】
2014134690.tif 000003
【図２】
2014134690.tif 000004